(57)【要約】  本発明は、先端を有するアームを含むアプリケーターを提供している。フットカバーは、先端に取り付けられるように構成されてもよい。先端にフットカバーが取り付けられる。先端は、外部に非粘着性コーティング層をコーティングして、まつ毛エクステンションを天然まつ毛に適用するための接着剤に抵抗することができる。先端はまつ毛エクステンションをユーザーの天然まつ毛に適用するために使用することができる。
2021513614.tif 000002
【特許請求の範囲】
【請求項１】
先端を有するアームと、
先端に取り付けられたフットカバーと、
を含むことを特徴とするアプリケーター。
【請求項２】
前記フットカバーは、縦方向に非直線であることを特徴とする請求項１に記載のアプリケーター。
【請求項３】
前記フットカバーは、縦方向に円弧形をなすことを特徴とする請求項２に記載のアプリケーター。
【請求項４】
前記フットカバーは、シリコンを含むことを特徴とする請求項１に記載のアプリケーター。
【請求項５】
前記フットカバーは、半透明であることを特徴とする請求項１に記載のアプリケーター。
【請求項６】
前記フットカバーは、多角形の横断面を有することを特徴とする請求項１に記載のアプリケーター。
【請求項７】
前記フットカバーは、対称的な横断面を有することを特徴とする請求項１に記載のアプリケーター。
【請求項８】
前記フットカバーは、まつ毛エクステンションまたはまつ毛エクステンション用の接着剤のうちの少なくとも１つと接合するようにテクスチャ処理された外面を有することを特徴とする請求項１に記載のアプリケーター。
【請求項９】
前記フットカバーは、まつ毛エクステンションまたはまつ毛エクステンション用の接着剤のうちの少なくとも１つと接合することができる複数の突起を有する外面を含むことを特徴とする請求項１に記載のアプリケーター。
【請求項１０】
前記フットカバーは、平坦な外面を含むことを特徴とする請求項１に記載のアプリケーター。
【請求項１１】
前記フットカバーは、可撓性であることを特徴とする請求項１に記載のアプリケーター。
【請求項１２】
前記フットカバーは、非粘着性の外面を含むことを特徴とする請求項１に記載のアプリケーター。
【請求項１３】
前記アームは、まつ毛エクステンションまたはまつ毛エクステンション用の接着剤のうちの少なくとも１つに対する第１の摩擦係数を有する第１の外面を含み、前記フットカバーは、まつ毛エクステンションまたはまつ毛エクステンション用の接着剤のうちの少なくとも１つに対する第２の摩擦係数を有する第２の外面を含み、前記第２の摩擦係数は前記第１の摩擦係数と異なることを特徴とする請求項１に記載のアプリケーター。
【請求項１４】
前記第２の摩擦係数は、第１の摩擦係数より高いことを特徴とする請求項１３に記載のアプリケーター。
【請求項１５】
前記アームは、第１のアームであり、先端は、第１の先端であり、前記フットカバーは、第１のフットカバーであり、
第２の先端を有する第２のアームと、第２の先端に取り付けられた第２のフットカバーとをさらに含み、
前記第１のフットカバーおよび第２のフットカバーは、まつ毛エクステンションが第１のフットカバーと第２のフットカバーとの間に延びると、まつ毛エクステンションをつかむことができるように構成されることを特徴とする請求項１に記載のアプリケーター。
【請求項１６】
前記フットカバーは、多角形の横断面を有する内部通路を含むことを特徴とする請求項１に記載のアプリケーター。
【請求項１７】
前記フットカバーは、対称的な横断面を有する内部通路を含むことを特徴とする請求項１に記載のアプリケーター。
【請求項１８】
前記フットカバーは、縦方向に非直線である内部通路を含むことを特徴とする請求項１に記載のアプリケーター。
【請求項１９】
前記内部通路は、円弧形をなすことを特徴とする請求項１８に記載のアプリケーター。
【請求項２０】
前記フットカバーは、前記先端に取り外し可能に取り付けられることを特徴とする請求項１に記載のアプリケーター。
【請求項２１】
前記フットカバーは、開放端および閉鎖端を有し、前記フットカバーは、開放端を介して前記先端に取り付けられ、前記閉鎖端は少なくとも部分的に閉鎖されることを特徴とする請求項１に記載のアプリケーター。
【請求項２２】
パッケージと、
パッケージに収容され、先端を有するアームを含むアプリケーターと、
パッケージに収容され、先端に取り付けられることができるフットカバーと、
を含むことを特徴とするキット。
【請求項２３】
前記フットカバーは、先端に取り付けられることを特徴とする請求項２２に記載のキット。
【請求項２４】
フットカバーをアプリケーターのアームの先端に装着することと、
まつ毛エクステンションをフットカバーに接合させることと、
を含むことを特徴とする方法。
【請求項２５】
フットカバーをアプリケーターのアームの先端に装着することと、
フットカバーをまつ毛エクステンションに接合させることと、
を含むことを特徴とする方法。
【請求項２６】
外部に非粘着性コーティング層がコーティングされた先端を有するアームを含むことを特徴とするアプリケーター。
【請求項２７】
前記非粘着性コーティング層は、シリコンを含むことを特徴とする請求項２６に記載のアプリケーター。
【請求項２８】
前記非粘着性コーティング層は、ゴムを含むことを特徴とする請求項２６に記載のアプリケーター。
【請求項２９】
前記非粘着性コーティング層は、前記先端で縦方向に直線であることを特徴とする請求項２６に記載のアプリケーター。
【請求項３０】
前記非粘着性コーティング層は、前記先端で縦方向に非直線であることを特徴とする請求項２６に記載のアプリケーター。
【請求項３１】
前記非粘着性コーティング層は、前記先端で縦方向に円弧形をなすことを特徴とする請求項３０に記載のアプリケーター。
【請求項３２】
前記先端は、外部に非粘着性コーティング層がコーティングされた内側を含むことを特徴とする請求項２６に記載のアプリケーター。
【請求項３３】
前記アームは、まつ毛エクステンションまたはまつ毛エクステンション用の接着剤のうちの少なくとも１つに対する第１の摩擦係数を有する第１の外面を含み、前記非粘着性コーティング層は、まつ毛エクステンションまたはまつ毛エクステンション用の接着剤のうちの少なくとも１つに対する第２の摩擦係数を有する第２の外面を含み、前記第２の摩擦係数は前記第１の摩擦係数と異なることを特徴とする請求項２６に記載のアプリケーター。
【請求項３４】
前記第２の摩擦係数は、第１の摩擦係数より高いことを特徴とする請求項３３に記載のアプリケーター。
【請求項３５】
前記アームは、第１のアームであり、先端は、第１の先端であり、前記非粘着性コーティング層は、第１の非粘着性コーティング層であり、
外部に第２の非粘着性コーティング層がコーティングされた第２の先端を有する第２のアームをさらに含み、
前記第１の先端および第２の先端は、まつ毛エクステンションが第１の非粘着性コーティング層と第２の非粘着性コーティング層との間に延びると、まつ毛エクステンションをつかむことができるように構成されることを特徴とする請求項２６に記載のアプリケーター。
【請求項３６】
アプリケーターのアームの先端の外面に非粘着性コーティング層をコーティングすることを含むことを特徴とする方法。
【請求項３７】
パッケージと、
パッケージに収容され、外部に非粘着性コーティング層がコーティングされた先端を有するアームを含むアプリケーターとを含むことを特徴とするキット。
【請求項３８】
天然まつ毛に人工まつ毛を適用するためのフットカバーであって、
各フットカバーは、細長い部を含み、
前記細長い部は、
（ｉ）人工まつ毛を天然まつ毛に適用するためのアプリケーターの先端に取り付けられて保持される内部通路と、
（ｉｉ）ユーザーが人工まつ毛をアプリケーターの各先端に置くと、側部を一緒に押して、ユーザーが人工まつ毛をつかむことができるようにする側部と、
を形成することを特徴とするフットカバー。
【請求項３９】
前記細長い部は、幾何学的に一致する内側を含むことを特徴とする請求項３８に記載のフットカバー。
【請求項４０】
前記フットカバーは、非粘着性表面を有することを特徴とする請求項３８に記載のフットカバー。
【発明の詳細な説明】
【技術分野】
【０００１】
「関連出願の相互参照」
本出願は、２０１９年１月１４日に提出された、米国仮出願番号ＵＳ６２／７９２０４８に対して優先権を主張する。本出願は、当該出願の全体が参照によりここに組み込まれる。
【０００２】
本発明は、まつ毛エクステンションに関する。
【背景技術】
【０００３】
アプリケーターを使用して、人工まつ毛エクステンションをユーザーの天然まつ毛に取り付けることは困難で、典型的なアプリケーターは湾曲した先端を有するピンセットに似ている。ほとんどのアプリケーターの場合、ユーザーが天然まつ毛および／または人工まつ毛エクステンションに接着剤を塗布すると、接着剤はアプリケーターの先端に付着しやすい。接着剤がアプリケーターの先端に付着することによって引き起こされる問題は、まつ毛エクステンションが先端の接着剤に付着され、それにより人工まつ毛エクステンションを天然まつ毛に取り付けることがより困難になることである。
【０００４】
なお、まつ毛は小さくて細いので、アプリケーターの先端は正確に一緒に保持する必要がある。このような高精度のアプリケーターを大規模に製造することは困難である。場合によって、金属の品質に高強度と高精度の湾曲性能が必要である。このような品質のアプリケーターを形成する際の１つの問題はコストであり、それは精度と性能が高くなるほど、金属が高価になるためである。
【発明の概要】
【発明が解決しようとする課題】
【０００５】
総括すると、本発明は、様々なフットカバー（ｓｏｃｋｓ）、前記フットカバーを有するアプリケーター、非粘着性コーティング層の先端を有するアプリケーターおよびその製造方法と使用方法を開示する。例えば、本発明は、アプリケーターを提供し、前記アプリケーターのアームは先端を有し、先端にはフットカバーを取り付けることができ、フットカバーは非粘着性表面を有し、またはフットカバーは非粘着性材料で形成され、またはフットカバーは非粘着性材料を含む。先端の外面は、非粘着性コーティング層でコーティングできる。とにかく、先端はまつ毛エクステンションをユーザーの天然まつ毛に適用するために使用できる。
【課題を解決するための手段】
【０００６】
一実施例において、アプリケーターは、先端を有するアームと、先端に取り付けられたフットカバーとを含む。
【０００７】
一実施例において、キットは、パッケージと、パッケージに収容されるアプリケーターとを含む。アプリケーターは、先端を有するアームを含む。パッケージにはフットカバーが収容される。フットカバーは先端に取り付けられ、パッケージは、素子をさらに収容することができる。前記素子は一組の素子から選択されることができ、前記組の素子は、フットカバーと接合するまつ毛エクステンション、フットカバーと接合するまつ毛エクステンション用の接着剤、および溝を有するケースを含み、前記溝の構造はフットカバーと接合するまつ毛エクステンションを収納するために使用される。
【０００８】
一実施例において、フットカバーをアプリケーターのアームの先端に取り付けることと、まつ毛エクステンションをフットカバーに接合させることとを含む方法を開示する。
【０００９】
一実施例において、フットカバーをアプリケーターのアームの先端に取り付けることと、フットカバーをまつ毛エクステンションに接合させることとを含む方法を開示する。
【００１０】
一実施例において、アプリケーターは、外部に非粘着性コーティング層がコーティングされた先端を有するアームを含むことができる。
【００１１】
一実施例において、方法は、非粘着性コーティング層をアプリケーターのアームの先端の外面にコーティングすることを含むことができる。
【００１２】
一実施例において、キットは、パッケージと、パッケージに収容されるアプリケーターとを含む。アプリケーターは、外部に非粘着性コーティング層がコーティングされた先端を有するアームを含むことができる。パッケージは、素子をさらに収容することができ、前記素子は一組の素子から選択されることができ、前記組の素子は、非粘着性コーティング層と接合するまつ毛エクステンション、非粘着性コーティング層と接合するまつ毛エクステンション用の接着剤、および溝を有するケースを含み、前記溝の構造は非粘着性コーティング層と接合するまつ毛エクステンションを収納するために使用される。
【図面の簡単な説明】
【００１３】
【図１−５】本発明で開示されたアプリケーターの先端に取り付けられたフットカバーの実施例を示す。
【図６−９】本発明で開示された先端を有するアプリケーターの実施例を示し、先端にはフットカバーが取り付けられていない。
【図１０−１４】本発明で開示されたフットカバーをアプリケーター先端に適用する方法の実施例を示す。
【図１５−１８】本発明で開示された先端にコーティング層を有するアプリケーターの実施例を示す。
【図１９】本発明で開示されたまつ毛エクステンションをユーザーの天然まつ毛に適用する方法の実施例のフローチャートを示す。
【発明を実施するための形態】
【００１４】
以下、図面および具体的な実施形態を結び付けて、本発明をさらに詳細に説明する。
【００１５】
総括すると、本発明は、様々なフットカバー、前記フットカバーを有するアプリケーター、非粘着性コーティング層がコーティングされた先端を有するアプリケーターおよびその製造方法と使用方法を開示する。例えば、本発明は、アプリケーターを提供し、前記アプリケーターのアームは先端を有し、先端にはフットカバーを取り付けることができ、フットカバーは非粘着性表面を有し、またはフットカバーは非粘着性材料で形成され、またはフットカバーは非粘着性材料を含み、先端の外面は、非粘着性コーティング層でコーティングできる。とにかく、先端はまつ毛エクステンションをユーザーの天然まつ毛に適用するために使用できる。本発明は、多くの異なる形態で実施することができ、本発明で開示された様々な実施例に必ずしも限定されると解釈されるべきではないことに留意されたい。むしろ、これらの実施例を提供することにより、本発明の開示が徹底かつ完全になり、本発明の様々な概念が当業者に完全に伝えられる。
【００１６】
図１〜図５は、本発明で開示されたアプリケーターの先端に取り付けられたフットカバーの実施例を示す。具体的に、フットカバー１００は、開放端１０４、内部通路１０６および閉鎖端１０８を有する管状本体１０２を含み、内部通路１０６は開放端１０４と閉鎖端１０８との間に延伸され、管状本体１０２は縦方向に非直線であることができる。したがって、管状本体１０２は縦方向に円弧形であることができるが、任意の適切な非線形状（例えば、正弦波、ジグザグ、パルス、正方形、三角形、鋸歯）であってもよい。もちろん、前記形状を変更することができ、管状本体１０２は縦方向に直線であることができる。同様に、内部通路１０６は縦方向に非直線である。同様に、内部通路１０６は、縦方向に円弧形であってもよいが、任意の適切な非直線形状（正弦波、ジグザグ、パルス、正方形、三角形、鋸歯、フック、曲線等）であってもよい。もちろん、形状を変更することができ、内部通路１０６は縦方向に直線であることができる。一実施例において、フットカバー１００は、一体的（すなわち、全体が単一の材料から形成される）であってもよい。別の実施例において、フットカバー１００は、非一体的（すなわち、複数の材料から形成される）であってもよい。
【００１７】
一実施例において、フットカバー１００は可撓性材料（例えば、ゴム、シリコン）から形成されるか、可撓性材料を含むので、２つのフットカバー１００が一緒に押されて１つまたは複数の人工まつ毛をつかむか、１つまたは複数の天然まつ毛を介して１つまたは複数の人工まつ毛を押して接着剤を再分配することにより、天然まつ毛を介して人工まつ毛を固定すると、２つのフットカバー１００は、前記フットカバー１００に取り付けられたアプリケーターの先端のずれを動的に調整できる。したがって、柔軟性フットカバー１００を使用することにより、アプリケーターの精度を緩和することができる（すなわち、フットカバー１００はその材料に基づいて自己調整することができるため、先端の整列は理想的ではなく、アプリケーター材料の強度が低下する可能性がある）。一実施例において、フットカバー１００は、アプリケーターの全体の先端に沿って延伸されることができる。または、フットカバー１００は、アプリケーターの任意のサブ部分（例えば、先端、中心領域、先端の基部の近くの領域）に沿って延伸されることができる。
【００１８】
管状本体１０２は、ゴム、シリコン、プラスチック、金属、木材、ガラス、ポリテトラフルオロエチレン（ＰＴＦＥ）、形状記憶材料（例えば、合金、ポリマー、プラスチック）、発泡体、布地または他の適切な材料の少なくとも１つを含む。管状本体１０２は、透明または半透明であってもよく、外部で管状本体１０２を操作すると、内部通路１０６を明確に認識することができる。または、管状本体１０２は、不透明であってもよく、外部で管状本体１０２を操作すると、内部通路１０６を視認できない。管状本体１０２は中実であるが、お互いに離間した複数の開口部を含むことができる。例えば、管状本体１０２は、多孔またはメッシュ構造であり得る。管状本体１０２は、可撓性（すなわち、曲がりやすい）であり得、弾性または回復可能のうちの少なくとも１つであり得る。もちろん、管状本体１０２は剛性であってもよい（すなわち、曲がりに抵抗する）。
【００１９】
管状本体１０２は、多角形の横断面を有することができる。したがって、管状本体１０２の横断面は、長方形であるが、正方形、台形、三角形、または他の適切な多角形であってもよい。しかし、横断面は、非多角形であってもよく、円形、楕円形、またはその他の適切な非多角形などである場合もあることに留意されたい。管状本体１０２は、対称的な横断面を有するが、このような構造は変更可能であり、管状本体１０２は、非対称的な横断面を有することができることに留意された。例えば、内部であろうか外部あろうか、断面が一致しているか変化しているか、対称であろうか非対称であろうか、管状本体１０２は、正方形、長方形、三角形、円形、楕円形、五角形、六角形、八角形、Ｏ字型、Ｄ字型、開放、閉鎖、または多角形の断面を有することができる。
【００２０】
管状本体１０２は外面１１０を有する。外面１１０は、まつ毛エクステンションまたはまつ毛エクステンション用の接着剤のうちの少なくとも１つと接合する（例えば、接触）ようにテクスチャ加工され得る。外面１１０は、まつ毛エクステンションまたはまつ毛エクステンション用の接着剤の少なくとも１つと接合するように構成された複数の突起（または窪み）を有し得る。外面１１０は平坦であるが、非平坦であってもよい。例えば、外面１１０は、内向きまたは外向きの円弧形であってもよいし、または他の非平面形状であってもよい。外面１１０は、滑らかな表面、粗い表面、テクスチャ表面、隆起した表面、スパイクされた表面、またはローレット表面のうちの少なくとも１つであってよい。外面１１０は、まつ毛エクステンションがその上で自由に滑ることを回避できるように（例えば、摩擦の増加）、またはまつ毛エクステンションがその上に接着することを回避できる（例えば、非粘着）ように構成され得る。
【００２１】
外面１１０は、まつ毛エクステンションまたはまつ毛エクステンション用の接着剤のうちの少なくとも１つに対して非粘着性である。例えば、外面の摩擦係数は、静的であろうか動的であろうか、まつ毛エクステンションまたはまつ毛エクステンション用の接着剤の少なくとも１つに対して、約０.５以上であり、例えば、約０.６、０.７、０.８、０.９、１、１.１、１.２、１.３、１.４、１.５またはそれ以上、中間値を含む。
【００２２】
通常、フットカバー１００の管状本体１０２には、アプリケーターの先端と一致する内部通路１０６が配置されることができる。すなわち、フットカバー１００の内部通路１０６は、フットカバー１００が先端を覆い、摩擦嵌合によって先端に固定されることを可能にするサイズを有する。例えば、先端が長方形の横断面を有すると、内部通路１０６は、長方形の横断面と一致する横断面を有する。より具体的に、内部通路１０６は、多角形の横断面を有することができる。同様に、内部通路の横断面は、長方形であるが、正方形、台形、三角形、または他の適切な多角形であってもよい。もちろん、横断面は、円形、楕円形、またはその他の適切な非多角形などの非多角形であってもよい。内部通路１０６の横断面は対称であるが、非対称であってもよいことに留意されたい。例えば、内部であろうか外部あろうか、横断面が一致しているか変化しているか、対称であろうか非対称であろうか、内部通路１０６は、正方形、長方形、三角形、円形、楕円形、五角形、六角形、八角形、Ｏ字型、Ｄ字型、開放、閉鎖、または多角形の横断面を有することができる。
【００２３】
内部通路１０６は、内面１１２を有することができ、内面１１２は、アプリケーターのアームの先端と接合する（例えば、接触）ようにテクスチャ加工され得る。内面１１２は、アプリケーターのアームの先端と接合するように構成された複数の突起（または窪み）を有し得る。内面１１２は平坦であるが、非平坦であってもよい。例えば、内面１１２は、内向きまたは外向きの円弧形であってもよいし、または他の非平面形状であってもよい。内面１１２は、滑らかな表面、粗い表面、テクスチャ表面、隆起した表面、スパイクされた表面、またはローレット表面のうちの少なくとも１つであってよい。一実施例において、内部通路１０６は、アプリケーターの先端および／またはアプリケーターのアームで滑る特徴（例えば、突起）を回避するために、アプリケーターの先端が滑り出すことを回避できる。
【００２４】
閉鎖端１０８は、部分的に閉鎖されていてもよく（例えば、約０ ％、５ ％、１０ ％、１５ ％、２０ ％、２５ ％、３０ ％、３５ ％、４０ ％、４５ ％、５０ ％、５５ ％、６０ ％、６５ ％、７０ ％、７５ ％、８０ ％、８５ ％、９０ ％、または９５ ％）、または完全に閉鎖されていてもよい（例えば、約１００ ％）。場合によっては、管状本体１０２は閉鎖端１０８を含まず、代わりにその端部は開いており、それによりフットカバー１００を少なくとも２つの開放端（例えば、１０４および１０８）を有する管またはスリーブとして構成され、前記２つの開放端は、内部通路１０６を介して互いに流体連通する。
【００２５】
図６〜図９は、本発明で開示された先端を有するアプリケーターの実施例を示し、先端にはフットカバーが取り付けられていない。具体的に、アプリケーター２００（例えば、ピンセット、鉗子）は、一対の中心部２０６および一対のクランプ先端２０８を有する一対のアーム２０２を含むことができる。一対の中心部２０６が共通点２０４と一対のクランプ先端２０８との間に位置し、前記一対のアーム２０２がデフォルト位置でＶ字型を形成するように、前記一対のアーム２０２は共通点２０４で連結される。したがって、前記一対のアーム２０２が共通点２０４によってＶ字型を形成すると、前記一対のアーム２０２はデフォルト位置にある。したがって、アプリケーター２００は、円弧形を有する第１のクランプ先端２０８の第１のアーム２０２および円弧形を有する第２のクランプ先端２０８の第２のアーム２０２を含む。
【００２６】
前記一対のアーム２０２の各アームは、内側と外側を有することにより、内側がデフォルト位置でお互い向き合うようにし、前記一対のアーム２０２が中心部２０６またはクランプ先端２０８でお互いに対称するようにする。非対称の実施例が可能であることを理解されたい。
【００２７】
前記一対の中心部２０６のそれぞれは、隆起を形成することができ、それにより凹形状（例えば、ユーザーの頬骨または鼻梁に寄りかかるように）を形成する。同様に、前記一対のクランプ先端２０８のそれぞれのクランプ先端２０８は、その形状がユーザーのまつ毛の線に一致または対応するように円弧形であることができる。同様に、凹形状と円弧形はそれぞれ位置が連続し、それぞれ前記一対のアーム２０２の側面にそれぞれ平行である前記一対のアーム２０２の同じ方向に面している。対応的に、一対の中心部２０６のそれぞれおよび一対のクランプ先端２０８のそれぞれは、連続的かつ縦方向に延伸されて、それらの間に谷線が形成され、前記谷線はそれぞれデフォルト位置で縦方向に対向する。
【００２８】
前記一対の中心部２０６のそれぞれは、平行な溝および隆起であり得るが、非テクスチャーであり得るテクスチャ部２１０を有する外側を具備する。中心部２０６の外側は反対方向を向いている。
【００２９】
図１０〜図１４は、本発明で開示されたフットカバーをアプリケーターの先端に適用する方法の実施例を示す。具体的に、方法３００は、取り外し可能（例えば、ユーザーが選択的に取り付けおよび取り外し可能）または永久的（例えば、アプリケーターのフットカバーおよび／または先端を破壊したり無効にしたりしない限り、ユーザーは取り外し不可能）であっても、フットカバー１００をアプリケーター２００のアーム２０２の先端２０８に適用するために使用される。フットカバー１００の開放端１０４は、アプリケーター２００の先端２０８と整列するように案内されることができる。次に、２つの管状本体１０２の少なくとも１つが開放端１０４を通して先端２０８上に取り付けられるか、またはスライドし、フットカバー１００の閉鎖端１０８が先端２０８と接合するまで（必要な場合、この時点の前に）、先端２０８を固定または回転させ続ける。しかし、前記方法は逆にされてもよく、管状本体１０２を固定または回転させて保持し、先端２０８がフットカバー１００の閉鎖端１０８と接合するまで（またはその点の前に）、先端２０８をフットカバー１００の開放端１０４に挿入する。同様に、フットカバー１００の少なくとも１つは、開放端１０４を介して少なくとも１つの先端２０８上にぴったりとまたは非スナップ式に取り付けまたはスライドさせることができ、または逆も同様である。いくつかの実施例において、管状本体１０２は縦方向に円弧形であり、先端２０８が縦方向に円弧形である場合、管状本体１０２は、特定の方法でのみ先端２０８に取り付けられ、またはその逆も同様である（例えば、弧を整列してより大きな円弧形、または非正弦方向に向いている）。いくつかの実施例において、管状本体１０２が先端２０８に取り付けられる場合、またはその逆の場合、管状本体１０２は、先端２０８に対して回転または自由に回転することができず、逆も同様である。いくつかの実施例において、先端２０８が閉鎖端１０８との接合を回避する場合、フットカバー１００は依然として先端２０８上に保持されることができ、いくつかの実施例において、まつ毛エクステンションをユーザーの天然まつ毛に適用するために使用されることができる。当業者にはよく知られているように、フットカバー１００は、ユーザによって手動で、または機械によって自動的に、先端２０８に取り付けることができ、逆も同様であることに留意されたい。同様に、方法３００は、フットカバー１００をアプリケーター２００のアーム２０２の先端２０８を取り付けこと、及びまつ毛エクステンションをフットカバー１００と接合させることを含むことができる。同様に、前記方法３００は、フットカバー１００をアプリケーター２００のアーム２０２の先端２０８に取り付け、フットカバー１００をまつ毛エクステンションと接合させることを含むことができる。
【００３０】
管状本体１０２が開放形状の横断面を有する場合（例えば、Ｕ字型、Ｃ字型、Ｖ字型）、管状本体１０２は完全に管状でなくてもよく、管状または棒状に類似していてもよい。同様に、管状本体１０２の少なくとも１つは、依然としてスライドまたは取り付け可能であるが、必ずしも開放端１０４を通る必要はないが（これは可能であるが）、内部通路１０６は依然として先端２０８に囲まれることができる。先端２０８の少なくとも１つが内部通路１０６にスライドするか挿入されると、逆の配置でも可能であるが、必ずしも開放端１０４を通る必要はないが（これは可能であるが）、内部通路１０６は依然として先端２０８に囲まれることができることに留意されたい。この場合、管状本体１０２が先端２０８から脱落または滑落することを最大にするために、管状本体１０２または先端２０８の少なくとも１つは、様々な接着促進剤を含むことができることに留意されたい。例えば、いくつかのそのようなエンハンサーは、磁性材料、レール、トラック、凸／凹構造、インターロッキングキット、または他の適切な構成を含むことができる。
【００３１】
いくつかの実施例において、フットカバー１００の代わりに、単一のストリップ（任意の形状）または複数のストリップ（任意の形状）を有してもよく、これらのストリップは、直線パターンまたは非直線パターンのいずれであっても、互いに離間していてもよく、永久的または取り外し可能に先端２０８に固定されることができる。例えば、このような固定方法は、接着、磁化、嵌合、インターロック、または他の適切な方法によって達成することができる。同様に、先端２０８上の単一のストリップ、または互いに離間した複数のストリップは、フットカバー１００の外面１１０として構成されてもよい。
【００３２】
いくつかの実施例において、フットカバー１００が先端２０８に取り付けられるか、または逆も同様である場合、フットカバー１００とアプリケーター２００との間の摩擦係数（静的であろうか動的であろうか）に差があり得る。例えば、アーム２０２は、まつ毛エクステンションまたはまつ毛エクステンション用の接着剤のうちの少なくとも１つに対する第１の摩擦係数を有する第１の外面（またはアームの別の外部または内部）を含むことができる。例えば、先端２０８は第１の外面を含むことができる。同様に、管状本体１０２は、まつ毛エクステンションまたはまつ毛エクステンション用の接着剤の少なくとも１つに対する第２の摩擦係数を有する第２の外面（または前記管状本体１０２の別の外部または内部）を含むことができる。例えば、外面１１０は、第２の外面を含むことができる。同様に、第２の摩擦係数が第１の摩擦係数と異なる場合、フットカバー１００とアプリケーター２００との間の摩擦係数（静的であろうか動的であろうか）に差があり得る。例えば、第２の摩擦係数は第１の摩擦係数より高い（他の実施例では同じまたはより低くてもよい）。摩擦係数のこのような差に基づいて、２つのフットカバー１００が２つのアーム２０２に取り付けられている場合、フットカバー１００またはまつ毛エクステンションが接着剤を有しても、フットカバー１００は、まつ毛エクステンションがフットカバー１００の間に挿入されるとまつ毛エクステンションをつかむことができるように構成される。
【００３３】
いくつかの実施例において、フットカバー１００およびアプリケーター２００は、同じキットに含まれることができる。したがって、前記キットは、パッケージ（例えば、蓋付きのプラスチック支持ベース、封筒、カートン）、パッケージに設けられたアプリケーター２００と、およびパッケージに設けられたフットカバー１００とを含み、ここでフットカバー１００はパッケージ内に配置された先端２０８に既に取り付けられているか、フットカバー１００はパッケージ内に配置された先端２０８に取り付けられていないこともできる（例えば、ユーザーが使用中に再度取り付けすることができる）。例えば、パッケージは複数のフットカバー１００を含むことができ、これらのフットカバー１００が先端２０８に取り付けられているかどうかにかかわらず、それらのいくつかは予備部品として使用される。前記キットは、パッケージに収容される物品を含むことができる。例えば、前記物品は、フットカバー１００と接合することができるまつ毛エクステンションと、フットカバー１００と接合することができるまつ毛エクステンション用の接着剤と、フットカバー１００と接合できるまつ毛エクステンションを収納するために使用される構造を有する溝を有するケースとを含むことができる。例えば、まつ毛エクステンションは、先端２０８にフットカバー１００が取り付けられているかどうかに関係なく、溝から先端２０８を通してまつ毛エクステンションを把持することを容易にするために、溝から延在することができる。例えば、前記接着剤は感圧性であり得、防水性（半永久的）接着剤、マスカラ、または接着剤特性を有する他のコポリマー溶液であり得る。ラテックスベースの接着剤は、個人のまぶたを刺激することを避けるために（例えば、アレルギー反応のために）一般に避けられるが、接着剤はさまざまな他の天然および／または化学成分を含むことができる。可能な接着剤の実施例は、アクリル酸エステル／アクリル酸エチルヘキシルコポリマー（Ａｒｃｒｙｌａｔｅｓ／ｅｔｈｙｌｈｅｘｙｌ  ａｃｒｙｌａｔｅ  ｃｏｐｏｌｙｍｅｒ）、アクア（ａｑｕａ）、プロピレングリコール（ｐｒｏｐｙｌｅｎｅ  ｇｌｙｃｏｌ）、セテアレス−２５（ｃｅｔｅａｒｅｔｈ−２５）、硬化ヒマシ油（ｈｙｄｒｏｇｅｎａｔｅｄ  ｃａｓｔｏｒ  ｏｉｌ）、グリセリン、フェノキシエタノール（ｐｈｅｎｏｘｙｅｔｈａｎｏｌ）、２−ブロモ−２−ニトロプロパン−１，３−ジオール（２−ｂｒｏｍｏ−２−ｎｉｔｒｏｐｒｏｐａｎｅ−１，３−ｄｉｏｌ）、メチルクロロイソチアゾリノン（ｍｅｔｈｙｌｃｈｏｌｏｒｏｉｓｏｔｈｉａｚｏｌｉｎｏｎｅ）、メチルイソチアゾリノン（ｍｅｔｈｙｌｉｓｏｔｈｉａｚｏｌｉｎｏｎｅ）、メチルパラベン（ｍｅｔｈｙｌｐａｒａｂｅｎ）および任意に選択される着色剤（例えば、カーボンブラック２（Ｃ１７７２６６））と、ポリテルペン（Ｐｏｌｙｔｅｒｐｅｎｅ）、スチレン／イソプレン共重合体（ｓｔｙｒｅｎｅ／ｉｓｏｐｒｅｎｅ  ｃｏｐｏｌｙｍｅｒ）、ワセリン（ｐｅｔｒｏｌａｔｕｍ）、ポリイソブテン（ｐｏｌｙｉｓｏｂｕｔｅｎｅ）、微結晶ワックス（蜜蝋晶子（ｃｅｒａｍｉｃｒｏｃｒｉｓｔａｌｉｎａ）、ｃｉｒｅ微結晶（ｃｉｒｅ  ｍｉｃｒｏ���ｒｙｓｔａｌｌｉｎｅ））、水素化スチレン／メチルスチレン／インデン共重合体（ｈｙｄｒｏｇｅｎａｔｅｄ  ｓｔｙｒｅｎｅ／ｍｅｔｈｙｌ  ｓｔｙｒｅｎｅ／ｉｎｄｅｎｅ  ｃｏｐｏｌｙｍｅｒ）、スチレン／ＶＡ共重合体（ｓｔｙｒｅｎｅ／ＶＡ  ｃｏｐｏｌｙｍｅｒ）および任意に選択される酸化防止剤（例えば、ブチルヒドロキシトルエン（ＢＨＴ））と、二酸化塩素、ｐ−アニス酸（ｐ−ａｎｉｓｉｃ  ａｃｉｄ）、ビオチン、ラベンダーオイル（ｌａｖａｎｄｕｌａ  ａｎｇｕｓｔｉｆｏｌｉｏ  ｏｉｌ）、プロピレングリコール、水、アクリル酸２−エチルヘキシル（２−ｅｔｈｙｌｈｅｘｙｌ  ａｃｒｙｌａｔｅ）および任意に選択される防腐剤（例えば、塩化ベンザルコニウム）と、およびアクリル共重合体と水を含む。他の多くの接着剤成分が可能であり、実際には、具体的なアレルギーを持つ個人、特定の固定継続時間（まつ毛エクステンションの「永続性」とも呼ばれる）などを期待する個人、または他の実施例のために望ましいかもしれないことに注意されたさい。
【００３４】
半永久的なまつ毛エクステンションクラスターは、強力な結合を達成する連邦医薬品局承認（ＦＤＡ承認）の接着剤を用いて適用されてもよい。このような接着剤は通常シアノアクリレートを含む。異なるタイプのシアノアクリレート（例えば、エチル、メチル、プロピル、ブチル、オクチル）は、異なる表面を接着するように設計されている。例えば、メチル−２−シアノアクリレートから作られた接着剤は、滑らかな表面（例えば、まつ毛エクステンション）を多孔性表面（例えば、天然まつ毛）に接着するように設計されているが、皮膚には接着しない、それは刺激を引き起こす可能性があるからである。
【００３５】
接着剤は半永久的な接着剤またはマスカラであってもよい。接着剤は、まつ毛エクステンションと天然まつ毛の接着性および親和性を高めるのに役立つ油溶性ポリマーまたは水溶性ポリマーを含むことができる。前記接着剤は、一組のまつ毛エクステンションがより長い期間（例えば、数日、数週間、または数ヶ月）天然まつ毛に固定されたままでいることを可能にする防水配合物であってもよい。
【００３６】
ラテックスベースの接着剤は、まぶたの刺激を避けるために一般的には避けられるが（例えば、アレルギー反応により）、接着剤は他のさまざまな天然成分（例えば、砂糖や蜂蜜）および／または化学成分が含むことができる。例えば、通常、共重合体は多くの接着剤配合の主成分である。前記接着剤は、従来のまつ毛エクステンションのための市販の接着剤、または本発明による一組のまつ毛エクステンションのための専用組成物であることができる。接着剤は透明または着色されていてもよい（例えば、マスカラをエミュレートするための乳白色または黒色である）。
【００３７】
いくつかの実施例において、アプリケーター２００は、まつ毛エクステンションをユーザーの天然まつ毛に適用するプロセスを実行するために使用されることができる。ユーザーは、マスカラスティックまたは他の方法を使用して接着剤をまつ毛エクステンションを取り付ける必要がある天然まつ毛に塗布するか、まつ毛エクステンションを天然まつ毛に取り付ける前に接着剤をまつ毛エクステンションに塗布することができる。前記プロセスは、まつ毛エクステンション（または別の物体）が弾性的にクランプされるように（例えば、毛をクランプするか、ベースをクランプする）、まつ毛エクステンションをクランプフットカバー１００の間にクランプすることを含むことができる。さらに、前記プロセスは、まつ毛エクステンション（または別の物体）をユーザーの天然まつ毛上（例えば、上部または下部の天然まつ毛の上側または下側）に放出または配置させることを含むことができる。したがって、前記方法は、アプリケーター２００によってまつ毛エクステンションの自己取り付けを達成することができる。別の実施例において、ユーザーは自分の指を使用して接着剤を天然まつ毛および／またはまつ毛エクステンションに塗布して、まつ毛エクステンションを天然まつ毛に取り付けることができる。同様に、アーム２０２は縦方向に延びる非先端（例えば、中心部２０６）を有するので、まつ毛エクステンションが天然まつ毛に放出されると（例えば、接着、磁化、締結、固定のため）、縦方向に延びた非先端は天然まつ毛を横切ることができる（例えば、右側または左側）。
【００３８】
まつ毛エクステンションを天然まつ毛に配置し、接着剤で天然まつ毛に弱く接着した後、ユーザーは、天然まつ毛およびまつ毛エクステンションの先端２０８を圧迫することができ、接着剤がより均一に分散されるため、まつ毛エクステンションは接着剤によって自然なまつ毛によりよく連結される。フットカバー１００は、非粘着性材料を含むことができるか、非粘着性材料でコーティングされ得るので、接着剤は、フットカバーに接着しないか、または最小限に接着することができる。
【００３９】
図１５〜図１９は、本発明で開示された先端にコーティング層を有するアプリケーターの実施例を示す。具体的に、アプリケーター４００は、アプリケーター２００の構造と類似することができる。同様に、アプリケーター４００は、共通点４０４で連結された複数のアーム４０２を含み、各アーム４０２は、中心部４０６および先端４０８を有する。しかし、先端４０８は、非粘着性コーティング層４１２でコーティングされた外面４１０を有する。先端４０８は、非粘着性コーティング層４１２によって全方向にコーティングされているが、これは必須ではなく、外面４１０の一部のみをコーティングすることができる。例えば、少なくとも外面４１０の内側（例えば、反対側の先端に面するか、または露出する）には、非粘着性コーティング層４１２がコーティングされることができる。例えば、アーム４０２のそれぞれについて、外面４１０の内側のみが非粘着性コーティング層４１２を有する。前記非粘着性コーティング層４１２の延伸は、直線または非直線、またはＸ、Ｙ、またはＺ平面上の任意のパターン（例えば、単線、平行線、ドットパターン）であり得る。
【００４０】
非粘着性コーティング層４１２は、連続的に分散されているか、パターンとして分散されているか、直線であるか、非直線であるか、外面４１０にコーティングされ得ることに留意されたい。場合によっては、フットカバー１００は、非粘着性コーティング層４１２を有する先端４０８に取り付けられることができ、それにより非粘着性コーティング層４１２はフットカバー１００の内部通路１０６内に延伸し、非粘着性コーティング層４１２は先端４０８とフットカバー１００との間に延伸する。
【００４１】
非粘着性コーティング層４１２は、先端４０８が製造された（例えば、成形、鋳造、３Ｄ印刷された）後、先端４０８に塗布（例えば、レイヤード、塗装、接着、溶融、バス（ｂａｔｈ）、スプレー、粉末化、粉砕）することができる。先端４０８上の非粘着性コーティング層４１２の厚さは、一致しているか変化してもよい。非粘着性コーティング４１２層は、所定のパターンで、またはランダムに、先端４０８の所定の領域に塗布されてもよい。非粘着性コーティング層４１２は、まつ毛エクステンションがその上で自由に滑ることを回避できるように（例えば、摩擦を増加）、またはまつ毛エクステンションがその上に接着することを回避できる（例えば、接着しない）ように構成され得る。例えば、非粘着性コーティング層４１２は、ゴム、シリコン、プラスチック、ポリテトラフルオロエチレン（ＰＴＦＥ）、形状記憶材料（例えば、合金、ポリマー）、発泡体、ゲルまたは他の材料を含むことができる。
【００４２】
いくつかの場合において、先端２０８は、嵌合（例えば、凸−凹）、インターロック、磁化、吸引、フックアンドループ、接着、または他の手段により、対称または非対称の材料（例えば、正方形、円形、楕円形、長方形、円弧形、三角形、正弦形、多角形）に取り付けることができ、非粘着性コーティング層４１２またはフットカバー１００に類似するように、または逆も同様である。このような材料は、ゴム、シリコン、プラスチック、金属、木材、ガラス、ポリテトラフルオロエチレン（ＰＴＦＥ）、形状記憶材料（例えば、合金、ポリマー）、発泡体、ゲル、布地または他の材料を含むことができる。いくつかの場合において、先端２０８または先端４０８は、滑らかでなく、粗く、テクスチャ加工、ローレット、スパイク、バンプ、またはその他であり得る。
【００４３】
図１９は、本発明で開示されたまつ毛エクステンションをユーザーの天然まつ毛に適用する方法の実施例のフローチャートを示す。具体的に、方法５００は、フットカバー１００、アプリケーター２００またはアプリケーター４００によって実行される複数のブロック５０２〜５０６を含む。ユーザーは、男性か女性か、生きているか無生命か、オスかメスかを問わず、人形、マネキン、ロボット、マスク、その他の適切な構造物などの生きている人や死んだ人を含むことができる。上記のように、方法５００は、本発明に開示された様々なアプリケーターと共に使用され得る。
【００４４】
ブロック５０２は、一対のフットカバー１００をアプリケーター２００に取り付けるか、またはスライドさせる一対のアーム２０２を含み、前記一対のアーム２０２は、一対の先端２０８を有する。同様に、前記一対のフットカバー１００は、前記一対の先端２０８を介してアプリケーター２００に取り付けるか、またはスライドされる。前記一対のフットカバー１００は、一対の閉鎖端１０８および一対の開放端１０４を有することができるので、開放端１０４を介して先端２０８に取り付けるか、またはスライドされることができ、少なくとも１つの前記一対のフットカバー１００を前記一対の先端２０８に取り付けるか、またはスライドさせる。このような取り付けまたはスライドは、前記一対の閉鎖端１０８が前記一対の先端２０８に接触するまで継続することができる。一対のフットカバー１００が閉鎖端１０８を有さない場合、一対のフットカバー１００が前記一対の先端２０８上に十分に装着またはスライドするまで、そのようなスライドまたは装着を続き、一対のフットカバー１００が前記一対の先端２０８から自由に滑ることを回避できるようにする。
【００４５】
ブロック５０４は、一対のフットカバー１００がまつ毛エクステンションと接触し、まつ毛エクステンションが前記一対のフットカバー１００の間に位置するように、前記一対のアーム２０２を介してまつ毛エクステンションをつかむことを含む。前記一対のフットカバー１００は、まつ毛エクステンションがその上で自由に滑ることを回避できるように（例えば、摩擦を増加）、またはまつ毛エクステンションがその上に接着することを回避できる（例えば、接着しない）ように構成され得る。
【００４６】
ブロック５０６は、まつ毛エクステンションをユーザーに適用することを含む。
【００４７】
総括すると、アプリケーター２００は、先端２０８を有するアーム２０２と、先端２０８に取り付けられたフットカバー１００とを含むことができる。同様に、キットは、パッケージと、パッケージに収容されたアプリケーター２００とを含むことができる。ここで、アプリケーター２００は、先端２０８を有するアーム２０２と、パッケージに収容されたフットカバー１００とを含む。ここで、フットカバー１００は、先端２０８に取り付けられる。類似的に、方法は、フットカバー１００をアプリケーター２００のアーム２０２の先端２０８に取り付け、まつ毛エクステンションをフットカバー１００と接合させることを含むことができる。さらに、この方法は、フットカバー１００をアプリケーター２００のアーム２０２の先端２０８に取り付け、フットカバー１００をまつ毛エクステンションと接合させることを含むことができる。また、アプリケーター４００は、外部に非粘着性コーティング層４１２でコーティングされた先端４０８を有するアーム４０２を含むことができる。なお、この方法は、非粘着性コーティング層４１２でアプリケーター４００のアーム４０２の先端４０８の外面４１０をコーティングすることを含むことができる。さらに、キットは、パッケージと、パッケージに収容されたアプリケーター４００とを含むことができ、ここでアプリケーター４００は、外部に非粘着性コーティング層４１２がコーティングされた先端４０８を有するアーム４０２を含む。さらに、一対のフットカバー１００は、人工まつ毛を天然まつ毛に適用するために使用され、ここで各フットカバー１００は、細長い部（例えば、管状本体１０２）を含むことができ、前記細長い部は、（ｉ）人工まつ毛を天然まつ毛に適用するためのアプリケーター２００の先端２０８に取り付けられて保持される内部通路１０６と、（ｉｉ）ユーザーが人工まつ毛をアプリケーター２００の各先端２０８に置くと、側部を一緒に押して、ユーザーが人工まつ毛をつかむことができるようにする側部とを形成する。
【００４８】
ここで使用される様々な用語は、直接的または間接的、完全または部分的、一時的または永続的、動作的または非動作的を指すことができる。例えば、１つの素子が別の素子に「位置」、「連結」、または「カプリング」されると呼ばれる場合、前記素子は別の素子に直接に位置、連結、またはカプリングでき、または、２つの素子の間に中間素子が存在することができ、間接または直接変形を含む。逆に、１つの素子が別の素子に「直接に連結」または「直接にカプリング」されると呼ばれる場合、中間素子は存在しない。
【００４９】
本発明で説明されるように、様々な単数形「ａ」、「ａｎ」、および「ｔｈｅ」は、特定の文脈が明らかに他を示さない限り、様々な複数形を含むことも意図される。
【００５０】
本発明で説明されるように、様々な存在動詞「含む」、「包含」が本明細書で使用される場合、説明された特徴、全体、ステップ、操作、素子またはコンポーネントの存在を特に指すが、他の１つまたは複数の他の特徴、全体、ステップ、操作、素子またはコンポーネントの存在を排除しない。
【００５１】
本発明で説明されるように、用語「または」は、排他的な「または」ではなく、包括的な「または」を意味する。すなわち、特に明記しない限り、または文脈が明確でない限り、「Ｘはａまたはｂを使用する」は、自然に含まれる一組の排列のいずれか１つを意味する。すなわち、Ｘがａを採用、Ｘがｂを採用、またはＸがａとｂを採用した場合、上記のいずれの場合でも、「Ｘはａまたはｂを採用」することができる。
【００５２】
本発明で説明されるように、用語「またはその他」、「組み合わせ」、「組成物」または「成分」は、用語の前に列挙された項目のすべての排列および組み合わせを指す。例えば、「Ａ、Ｂ、Ｃ、またはその組み合わせ」は、Ａ、Ｂ、Ｃ、ＡＢ、ＡＣ、ＢＣ、またはＡＢＣの少なくとも１つを含むことを意図し、特定のコンテキストで順序が重要な場合は、ＢＡ、ＣＡ、ＣＢ、ＣＢＡ、ＢＣＡ、ＡＣＢ、ＢＡＣまたはＣＡＢをさらに含む。この例を続けると、ＢＢ、ＡＡＡ、ＡＢ、ＢＢＣ、ＡＡＡＢＣＣＣＣ、ＣＢＢＡＡＡ、ＣＡＢＡＢＢなどの１つまたは複数の項目または用語を含む繰り返しの組み合わせが明示的に含まれる。当業者は、一般に、文脈が明確に他のことを指示しない限り、任意の組み合わせの項目または用語の数は限定されないことを理解する。
【００５３】
本発明で説明されるように、特に定義されない限り、本発明で使用されるすべての用語（技術用語および科学用語を含む）は、本発明が属する技術分野の当業者によって一般に理解されるのと同じ意味を有する。一般的に使用される辞書で定義されているさまざまな用語は、関連する技術的上下文書での意味と一致する意味を持つものとして解釈されるべきであり、ここで明確に定義されていない限り、理想的または過度の形式として解釈されてはならない。
【００５４】
本発明で説明されるように、図示のように、「下」、「下側」、「上」、「上側」などの相対的な用語を用いて、１つの素子と別の素子との位置関係を説明する場合がある。図面に示された方向に加えて、これらの相対的な用語は、示された技術の異なる方向を包含することを意図している。例えば、図面のキットを裏返すと、元々他の素子の「下」側にあると記述されていた素子が、他の素子の「上」側に変更される。類似的に、いずれかの図のキットを裏返すと、元々「低」または「以下」と記載されていた素子が、他の素子の「上」に変更される。したがって、用語「低い」および「以下」は、高および底の方向を包含することができる。
【００５５】
本明細書で使用される用語「約」または「実質的に」は、公称値／用語からの±１０％の変化を指す。そのような変更が具体的に言及されているかどうかに関係なく、そのような変更は、本発明によって指定される任意の所与の値／用語に常に含まれる。
【００５６】
特定の実施例に関して説明される特徴は、任意の置き換えまたは組み合わせで、他の様々な実施例と組み合わせるか、または組み合わせることができる。本発明で開示されるように、例示的な実施例の異なる態様または素子は、類似の方法で組み合わせることができる。
【００５７】
本発明は、第１、第２、第３などの様々な用語を使用して、様々な素子、コンポーネント、領域、層または部分を説明するが、これらの素子、コンポーネント、領域、層または部分は、これらの用語によって必ずしも限定されない。これらの用語は、ある素子、コンポーネント、領域、層、またはセクションを別の素子、コンポーネント、領域、層、またはセクションと区別するために使用される。したがって、本発明の様々な教示から逸脱することなく、以下で論じられる第１の素子、コンポーネント、領域、層、またはセクションは、第２の素子、コンポーネント、領域、層、またはセクションと呼ぶことができる。
【００５８】
特定の例示的な実施例に関して説明された特徴は、様々な他の例示的な実施例において、部分的に組み合わされてもよい。なお、本発明に開示されるように、例示的な実施例の異なる態様または素子も、類似の方法で組み合わせおよび部分的に組み合わせされることができる。なお、いくつかの例示的な実施例は、個別にまたは集合的に、より大きなシステムのコンポーネントであり得、他のプロセスが優先され得、またはほかの方法で出願を修正することができる。なお、本発明に開示されるように、実施例の前、後、または実施例と同時に、多くのステップが必要である。少なくとも本明細書で開示されるように、任意のまたはすべての方法またはプロセスは、少なくとも１つのエンティティによって任意の方法で少なくとも部分的に実行され得ることに留意されたい。
【００５９】
本発明は、本発明によって開示される理想化された実施例（および中間構造）の図を参照して本発明具体的な実施例を説明する。したがって、製造技術または公差により各図示の形状が変化することが予想される。したがって、本発明の例示的な実施例は、本発明に示される領域の特定の形状に必ずしも限定されると解釈されるべきではなく、例えば、製造された形状をもたらす偏差を含むべきである。
【００６０】
本発明に開示されるように、任意のまたはすべての素子は、同じ、構造的に連続した部品（例えば、一体）に形成、または別個に製造または連結から形成され得、例えば、１つまたは複数の素子。本発明に開示されるように、任意のまたはすべての素子は、積層造形、減法製造、または任意の他のタイプの製造を問わず、任意の製造プロセスによって製造され得る。例えば、いくつかの製造プロセスは、３次元（３Ｄ）印刷、レーザー切断、コンピューター制御の配線、フライス加工、スタンピング、真空成形、ハイドロフォーミング、射出成形、フォトリソグラフィーを含む。
【００６１】
各請求項のすべての装置または素子のさまざまな対応する構造、材料、動作、および同等物は、具体的な請求項に記載されている他の請求素子と組み合わせて機能を実行するための任意の構造、材料、または動作を含むものとする。様々な実施例は、本発明の様々な原理およびその様々な実際の用途を最もよく開示し、関連技術分野の当業者が様々な実施例の本発明を理解できるようにするために選択および説明され、想定される特定の用途のためのさまざまな変更を有する。
【００６２】
本発明は、様々な説明および目的のために提出されているが、網羅的であること、または様々な形態で開示された発明に限定されることは意図されていない。技術および構造に対する様々な修正および変更は、後続の請求項に記載されるように、本発明の範囲および精神から逸脱することなく、当業者には明らかであろう。したがって、そのような修正および変更は、この開示の一部と見なされる。本開示の範囲は、この開示を提出した時点での既知の均等物および予期しない均等物を含む様々な主張によって定義されている。
【図１】
2021513614.tif 000003
【図２】
2021513614.tif 000004
【図３】
2021513614.tif 000005
【図４】
2021513614.tif 000006
【図５】
2021513614.tif 000007
【図６】
2021513614.tif 000008
【図７】
2021513614.tif 000009
【図８】
2021513614.tif 000010
【図９】
2021513614.tif 000011
【図１０】
2021513614.tif 000012
【図１１】
2021513614.tif 000013
【図１２】
2021513614.tif 000014
【図１３】
2021513614.tif 000015
【図１４】
2021513614.tif 000016
【図１５】
2021513614.tif 000017
【図１６】
2021513614.tif 000018
【図１７】
2021513614.tif 000019
【図１８】
2021513614.tif 000020
【図１９】
2021513614.tif 000021
【国際調査報告】
2021513614.tif 000022
2021513614.tif 000023